(57)【要約】【技術課題】天井の高さを高く、天井用板との間に段差を生じさせない天井輻射用放熱パネルの施工法とこれに用いられる放熱パネルを提供する。【解決手段】放熱パネル１は、スパンドレル２の裏面に放熱パイプ３を蛇行配管すると共に前記放熱パイプ３と直交するように一定の間隔で放熱パネル側野縁４を取り付けた構成とする。この放熱パネル１は、その放熱パネル側野縁４を建築下地側野縁６と平行となるように横に接して沿わせ、前記放射パネル側野縁４と放熱パネル側野縁６とをクリップ９を用いて連結する。これにより、放熱パネル１を天井において高く設置することができると共に他の天井板との間に段差を生じさせないようにして見栄えを良くすることができる。【選択図】図２
2010144420.tif 000002
【特許請求の範囲】
【請求項１】
ａ．放熱パネルは、スパンドレルの裏面に放熱パイプを蛇行配管すると共に前記放熱パイプと直交するように一定の間隔で放熱パネル側野縁を取り付けた構成とする、
ｂ．前記放熱パネルは、その放熱パネル側野縁を建築下地側野縁と平行となるように横に接して沿わせる、
ｃ．前記建築下地側野縁と放熱パネル側野縁とをクリップを用いて連結する、
ｄ．ことを特徴とする輻射天井用放熱パネルの施工法。
【請求項２】
前記請求項１の建築下地側野縁と放熱パネル側野縁は、それぞれ天板と左右側板から成る断面倒コ字状を呈し、更に両側板の下端縁にはそれぞれ内側に屈曲させた係合鍔縁を形成した形状から成り、前記クリップは１本の弾性バネ線材に２ヶ所のリングを形成し、このリングの一方を建築下地側野縁の係合鍔縁に係合させ、もう一方のリングを放熱パネル側野縁の係合鍔縁に係合させることにより、クリップのねじれ弾性により野縁同士を連結固定する構成であること、を特徴とする輻射天井用放熱パネルの施工法。
【請求項３】
ａ．スパンドレルの裏面に放熱パイプを蛇行配管すると共にこの放熱パイプと直交するように天板と左右側板から成る断面倒コ字状を呈し、更に両側板の下端縁にはそれぞれ内側に屈曲させた係合鍔縁を形成した放熱パネル側野縁を取り付けた構成の放熱パネルと、
ｂ．１本の弾性バネ線材の２ヶ所にリングを形成し、このリングの一方を前記放熱パネル側野縁の係合鍔部に係合させ、他方のリングを建築下地側野縁に形成した係合鍔部に係合させてねじれ弾性により放熱パネル側野縁と建築下地側野縁を固定するためのクリップと、
ｃ．から成る輻射天井用放熱パネル。
【請求項４】
請求項３のクリップは、ステンレス製弾性線材を曲げ加工したものであるところの輻射天井用放熱パネル。
【発明の詳細な説明】
【発明の属する技術分野】
【０００１】
本発明は、各種建築物の天井において、室内に向けて輻射熱を放出することにより暖房あるいは冷房を行うために設置される所謂天井設置型輻射パネルとこの施工方法に関するものである。
【従来の技術】
【０００２】
建物の部屋ごとに暖冷房を行うことができると共に天井から輻射熱を放射する天井輻射パネルが公知である（特開２００６−１７０５５１公報）。
【０００３】
この輻射パネルは、図５に示すように、スパンドレル２の裏面に放熱パイプ３を蛇行配管すると共にこの放熱パイプ３に直交するように放熱パネル側野縁４を取り付けた放熱パネル１を建築下地５側の野縁６に対して直交させるようにして施工している。図中７はハンガー、８は吊りボルトである。
【特許文献１】特開２００６−１７０５５１号公報
【発明の開示】
【発明が解決しようとする課題】
【０００４】
このため、次のような欠点がある。
【０００５】
１．建築下地側野縁６と放熱パネル側野縁４とは、ともに１９〜２５ｍｍあることから、野縁４、６の高さは合計で３８〜５０ｍｍとなり、この分放熱パネル１の天井面が下がり、室内の天井が低くなる。
【０００６】
２．下地側野縁６と放熱パネル側野縁４とは、それぞれビス止めしているため、このビス止め作業に手間がかかると共に、位置関係の微調整ができない。
【０００７】
３．放熱パネル１以外の天井板は、建築下地側野縁６に対して直張りしているため、放熱パネル１との間に段差が生じ、天井の見栄えが悪い。
【０００８】
４．野縁４、６が直交するため、放熱パネル１と天井板の板目方向が異なり、見栄えが悪い。
【０００９】
本発明の目的は、以上に説明した従来の放熱パネルの施工法を改善して、室内の天井の高さを建築下地野縁の高さまで高くすることができると共に施工時に放熱パネルの位置の微調整ができ、更に天井に段差が生じるのを防ぎ、板目方向を揃えることにより天井の見栄えを良くすることができる輻射天井用放熱パネルの施工法とこの施工法に用いられる輻射放熱パネルを提供することである。
【課題を解決するための手段】
【００１０】
上記目的を達成するため、請求項１に記載の発明においては、輻射天井用放熱パネルの施工法において、ａ．放熱パネルは、スパンドレルの裏面に放熱パイプを蛇行配管すると共に前記放熱パイプと直交するように一定の間隔で放熱パネル側野縁を取り付けた構成とする、ｂ．前記放熱パネルは、その放熱パネル側野縁を建築下地側野縁と平行となるように横に接して沿わせる、ｃ．前記建築下地側野縁と放熱パネル側野縁とをクリップを用いて連結する、ことを特徴とするものである。
【００１１】
この発明によると、野縁同士が直交して重ならないため、上記した天井の高さを改善し、施工時に放熱パネルの位置の微調整を行うことができ、天井に段差が生じるのを防ぎ、板目方向を揃えて見栄えの良い輻射天井を施工することができる。
【００１２】
次に、請求項２に記載の発明においては、前記請求項１の建築下地側野縁と放熱パネル側野縁は、それぞれ天板と左右側板から成る断面倒コ字状を呈し、更に両側板の下端縁にはそれぞれ内側に屈曲させた係合鍔縁を形成した形状から成り、前記クリップは１本の弾性バネ材の２ヶ所にリングを形成し、このリングの一方を建築下地側野縁の係合鍔縁に係合させ、もう一方のリングを放熱パネル側野縁の係合鍔縁に係合させることにより、クリップのねじれ弾性により野縁同士を連結固定する構成であることを特徴とするものである。
【００１３】
この発明によると、建築下地側野縁と放熱パネル側野縁との連結がワンタッチで行うことができるため、輻射パネルの位置の微調整を行うことができ、更にビス止めでないため施工を簡単に行うことができる。
【００１４】
次に、請求項３に記載の発明においては、輻射天井施工に用いられる放射パネルにおいて、ａ．スパンドレルの裏面に放熱パイプを蛇行配管すると共にこの放熱パイプと直交するように天板と左右側板から成る断面倒コ字状を呈し、更に両側板の下端縁にはそれぞれ内側に屈曲させた係合鍔縁を形成した放熱パネル側野縁を取り付けた構成の放熱パネルと、ｂ．１本の弾性バネ線材の２ヶ所にリングを形成し、このリングの一方を前記放熱パネル側野縁の係合鍔部に係合させ、他方のリングを建築下地側野縁に形成した係合鍔部に係合させてねじれ弾性により放熱パネル側野縁と建築下地側野縁を固定するためのクリップと、から成るものである。
【００１５】
次に、請求項４に記載の発明においては、請求項３のクリップは、ステンレス製弾性線材を曲げ加工したものであることを特徴とするものである。
【発明の効果】
【００１６】
本発明は以上の如き構成を採用したことにより、次の効果を奏する。
【００１７】
１．建築下地側野縁に対して放熱パネル側野縁を平行に沿わせているため、野縁同士は重ならないことから、従来に比較して野縁１本分天井を高くすることができる。
【００１８】
２．下地側野縁と放熱パネル側野縁とは、それぞれクリップ止めしているため、野縁同士の連結が簡単になると共に、位置関係の微調整を行うことができる。
【００１９】
３．放熱パネル以外の天井板と放熱パネルとは面一になり、段差は生じない。よって天井の見栄えが良くなる。
【００２０】
４．放熱パネルと天井板の板目方向が同一となり、見栄えが良くなる。
【発明の実施の形態】
【００２１】
本発明は、輻射天井放熱パネルの設置に適用することが可能であり、通常の建築下地の表面には、天井板を取り付けるための建築下地側野縁（以下「下地側野縁」という。）が例えば３００ｍｍあるいは３０３ｍｍピッチで設けられており、天井板はこの下地側野縁にビス止めされている。
【００２２】
本発明の輻射天井用放熱パネル（以下「放熱パネル」という。）は、天井板の設置と同じように、下地側野縁に取り付けられるが、この取り付けに際しては、放熱パネル側に取り付けた放熱パネル側野縁（以下「パネル側野縁」という。）を下地用野縁と同一ピッチあるいは１〜２ピッチ置きに設定しておき、このパネル側野縁を下地側野縁に平行に接して沿わせ、野縁同士をクリップで連結することにより、室内の天井に取り付けるようにしている。
【００２３】
以下、図面に基づいて放熱パネルの構成と、この放熱パネルを建築天井下地に取り付ける施工法を詳細に説明する。
【００２４】
図１は放熱パネルと建築下地天井の説明図、図２は建築下地天井に放熱パネルを取り付けた状態の説明図、図３は野縁連結用クリップの説明図、図４はクリップを用いて野縁同士を連結した状態の説明図である。
【００２５】
図１において、放熱パネル１は、市販のスパンドレル２の裏面に放熱パイプ３を蛇行配管し、パネル側野縁４は放熱パイプ３に直交するようにして３００ｍｍピッチでスパンドレル２の裏面にビス止めされている。
【００２６】
この放熱パネル１は、定形のものを天井の設置面積に合わせて何枚かを並べるようにして用いる。このとき、放熱パイプ３は、各パネル間において直列に接続され、図外の熱源機から供給される熱媒が循環し、輻射熱を室内に向けてスパンドレル２を介して放射し、輻射式の暖房又は冷房を室内の天井側から行う。
【００２７】
図１において、符号の５は建築下地を示し、この建築下地５は、ハンガー７、吊りボルト８により建築躯体に取り付けられ、下地５には下地側野縁６が直交するようにして取り付けられている。
【００２８】
上記構成の放熱パネル１を下地側野縁６に取り付ける場合には、図１、２に示すように、下地側野縁６と平行に放熱パネル１側のパネル側野縁４を接して沿わせ、図３に示すような弾性ステンレス線材を曲げ加工して形成した２つのリング１０、１１と、係合部１２、１３とハンドル１４を形成したクリップ９を用いて野縁４、６同士連結する。このように、クリップ９を用いて野縁４、６同士を連結しているため、放熱パネル１は上下、水平方向へのズレを微調整することができる。
【００２９】
なお、パネル側野縁４と下地側野縁６には、一般に市販されている長尺の溶融亜鉛めっき鋼板製型材が用いられている。但し、両野縁４、６は、双方が又は一方がステンレス製あるいはアルミ製型材の場合もある。
【００３０】
実施例のスパンドレル２には、アルミ板を幅１００〜２００ｍｍ単位で波形あるいは平板に加工した市販のものが利用されている。
【００３１】
放熱パイプ３は、あらかじめ蛇行形状に曲げ加工を行い、これをスパンドレル２に沿わせ、アルミテープ１５等を用いて密着固定している。
【実施例１】
【００３２】
請求項１乃至請求項３に記載した発明に対応する実施例を次に説明する。
【００３３】
先ず、放熱パネル１は、市販のスパンドレル２を一定の大きさにカットしたものであって、この裏にはスパンドレル２の方向と平行に放熱パイプ３を蛇行させたものがアルミテープ１５により固定されている。
【００３４】
更に、上記放熱パネル１には、放熱パイプ３と直交するように天板４ａと両側板４ｂで倒コ字状に形成されていると共に両側板４ｂの下端を内側にそれぞれ屈曲させて係合部４ｃを形成したパネル側野縁４が３００ｍｍピッチで取り付けられている。この取り付けにはビスが用いられている。
【００３５】
次に、３００ｍｍピッチで下地５に吊設された下地側野縁６にパネル側野縁４を図１、２、４に示すように平行に沿わせ、野縁４、６同士の高さを調整したのち、クリップ９のリング１０と係合部１２を一方の野縁４の係合部４ｃに内側から係合させ、もう一方のリング１１と係合部１３をもう一方の野縁６の係合部４ｃに内側から係合させることにより、クリップ９のねじれ弾性により野縁４、６同士を強固に連結する。
【００３６】
このようにしてクリップ９を野縁４、６の長手方向において要所に取り付けることにより、放熱パネル１が施工される。
【００３７】
このとき、放熱パネル１の周囲に張られた天井板とは同一平面となり、段差は発生しない。
【００３８】
クリップ９には着脱用ハンドル１４が形成されているため、このハンドル１４を摘んでクリップ９の係合を離脱させることにより、野縁同士の連結を簡単に解除することができる。
【００３９】
なお、クリップ９は１本のステンレス製の線材を曲げ加工してリング１０と係合部１２を成形したものであるが、他のクリップ手段を用いて野縁同士を連結することも可能である。
【図面の簡単な説明】
【００４０】
【図１】建築下地と放熱パネルの説明図
【図２】下地側野縁とパネル側野縁を連結して放熱パネルを天井に設置した状態の説明図
【図３】クリップの説明図
【図４】クリップを用いて野縁同士を連結した状態の説明図
【図５】従来の放熱パネルの施工法の説明図
【符号の説明】
【００４１】
１．放熱パネル
２．スパンドレル
３．放熱パイプ
４．パネル側野縁
５．建築下地
６．建築下地側野縁
９．クリップ
【図１】
2010144420.tif 000003
【図２】
2010144420.tif 000004
【図３】
2010144420.tif 000005
【図４】
2010144420.tif 000006
【図５】
2010144420.tif 000007